(57)【特許請求の範囲】
【請求項１】
内部に気体を注入し膨張させて液面に浮遊させる浮遊体とその浮遊体に取り付けられる紐体を備えたヨーヨーであって、
前記浮遊体の下部に錘が固定され、前記浮遊体は前記液面で起立した状態で浮遊可能であると共に前記浮遊体の上部程揺動幅が大となるべく前記浮遊体をその高さがその幅よりも大となる縦長に形成し、前記紐体の一端に釣針を引っ掛けるための掛部を設け、前記紐体を前記起立した状態で前記掛部が前記液面近傍に位置する長さに設定し、前記揺動に前記掛部が連動して前記液面近傍で揺動するヨーヨー。
【請求項２】
前記浮遊体の上部に前記紐体を取り付ける突片を備える請求項１記載のヨーヨー。
【請求項３】
前記浮遊体は略水平に形成した底面を備え、前記錘は前記底面に固定してある請求項１又は２記載のヨーヨー。
【請求項４】
前記錘は前記浮遊体内部に固定してある請求項１〜３のいずれかに記載のヨーヨー。
【請求項５】
前記浮遊体表面には文字、記号、図柄、絵柄等の模様が描かれてある請求項１〜４のいずれかに記載のヨーヨー。
【請求項６】
前記浮遊体は前記模様に応じた形に模して形成してある請求項５記載のヨーヨー。
【発明の詳細な説明】
【技術分野】
【０００１】
本発明は、ヨーヨーに関する。さらに詳しくは、内部に気体を注入し膨張させて液面に浮遊させる浮遊体とその浮遊体に取り付けられる紐体を備えたヨーヨーに関する。
【背景技術】
【０００２】
上述の如きヨーヨーとして、例えば特許文献１，２に記載の如きものが知られている。特許文献１に記載のヨーヨーは、縦長の人形体内部に水が注入してある。そのため、液面に浮かべた状態で一度倒れると自力で起き上がることはなく、人形体の姿勢に変化が乏しく、ヨーヨー釣りの面白みに欠けていた。また、特許文献２に記載のヨーヨーも同様に、自力で姿勢を立て直すことは不可能であった。
【特許文献１】実開平５−６３５９３号公報
【特許文献２】実開平５−１８５９７号公報
【発明の開示】
【発明が解決しようとする課題】
【０００３】
かかる従来の実情に鑑みて、本発明は、簡素な構造で変化に富んだ動きを与えヨーヨー釣りにさらなる興趣を加えるヨーヨーを提供することを目的とする。
【課題を解決するための手段】
【０００４】
上記目的を達成するため、本発明に係るヨーヨーの特徴は、内部に気体を注入し膨張させて液面に浮遊させる浮遊体とその浮遊体に取り付けられる紐体を備えた構成において、前記浮遊体の下部に錘が固定され、前記浮遊体は前記液面で起立した状態で浮遊可能であると共に前記浮遊体の上部程揺動幅が大となるべく前記浮遊体をその高さがその幅よりも大となる縦長に形成し、前記紐体の一端に釣針を引っ掛けるための掛部を設け、前記紐体を前記起立した状態で前記掛部が前記液面近傍に位置する長さに設定し、前記揺動に前記掛部が連動して前記液面近傍で揺動することにある。
【０００５】
上記特徴によれば、浮遊体は液面上で起き上がり小坊師の如く揺動する。したがって、その揺動に連動させて紐体の掛部に変化に富んだ動きを与えることができ、ヨーヨー釣りに興趣を加えることができる。
【０００６】
また、掛部が液面近傍に位置するので、ヨーヨーを釣り上げる際に釣具の釣針を支持する紙縒が液面近傍の位置となる。したがって、上記揺動と相まって、遊戯者にヨーヨーを釣り上げるタイミングに迷いを生じさせ、ヨーヨー釣りにさらなる興趣を加えることができる。
【０００７】
また、前記浮遊体の上部に前記紐体を取り付ける突片を備えていても構わない。浮遊体は、その上部程揺動する幅が大きくなるので、上部に紐体を取り付けることで掛部により変化に富んだ動きを与えることができる。
【０００８】
前記浮遊体は略水平に形成した底面を備え、前記錘は前記底面に固定するとよい。これにより、液面上での直立状態を安定させると共に揺動運動を機敏にさせることができる。また、前記錘は前記浮遊体内部に固定しても構わない。
【０００９】
前記浮遊体表面には文字、記号、図柄、絵柄等の模様が描くようにするとよい。また、前記浮遊体は前記模様に応じた形に模して形成しても構わない。これにより、浮遊体の揺動運動に合わせて例えば模様となるキャラクターが動いているように見せることができ、さらに興趣が増す。
【発明の効果】
【００１０】
上記本発明に係るヨーヨーの特徴によれば、簡素な構造で変化に富んだ動きを与えヨーヨー釣りにさらなる興趣を加えることが可能となった。
【００１１】
本発明の他の目的、構成及び効果については、以下の発明の実施の形態の項から明らかになるであろう。
【発明を実施するための最良の形態】
【００１２】
次に、図１〜３を参照しながら、本発明をさらに詳しく説明する。
図１，２に示すように、本発明に係るヨーヨー１は、大略、浮遊体２と錘３と紐体４とからなる。浮遊体２は前面１１、後面１２及び底面１３となる３枚の合成樹脂製のシートを接着等で繋ぎ合わせ、内部に空気を充填する中空部１４を形成してある。図２に示すように、浮遊体２の上部程揺動する幅を大きくするため、浮遊体２の高さｈがその浮遊体２の幅ｗよりも大となるよう縦長の略円筒状に形成してある。また、紐体４の揺動幅を大きくするため、紐体４を取り付ける突片１６が浮遊体２上部に設けてある。後面１２には中空部１４に空気を充填する注入口１５が設けてあり、浮遊体２が液面Ｗに浮遊可能となるように中空部１４に空気を充填し膨張させる。
【００１３】
図２に示すように、錘３は略水平に形成された底面１３の中空部１４側表面に固定されている。この錘３には例えば砂鉄を袋に詰めたものが用いられる。袋詰めすることで、小粒又は粉体状の錘が他の物品との不測の衝突により形成する漏洩孔からの空気漏れを防ぐ。錘３によって、浮遊体２には起き上がり小坊師の如く液面Ｗ上で直立状態に起き上がらせる揺動が引き起こされる。例えば、図３に示す一点鎖線で示す傾斜した状態から直立した状態に復帰する。なお、錘３の重さは、中空部１４の体積に応じて液面Ｗに浮遊可能となるように適宜設定される。
【００１４】
紐体４は、例えばゴム紐よりなり、一端は浮遊体２の上部に位置する突片１６の孔１６ａに結びつけて取り付けてある。紐体４の他方端部には、ヨーヨー釣りを行う釣具２０の釣針２２を引っ掛けるための掛部５が環状に形成されている。
【００１５】
図３に示すように、液面Ｗでの浮遊体２の起立状態において、紐体４はその掛部５が液面Ｗ近傍に位置する長さＬに設定してある。掛部５を液面Ｗ近傍に位置する長さＬに設定することで、ヨーヨーを釣り上げる際に釣具２０の釣針２２を支持する紙縒２１が液面Ｗ近傍の位置となる。したがって、上記揺動と相まって、遊戯者にヨーヨーを釣り上げるタイミングに迷いを生じさせ、ヨーヨー釣りにさらなる興趣を加えることができる。他方、紐体４を浮遊体２より短い長さＬａに設定した場合、掛部５は液面Ｗより上方に位置するため、紙縒２１が濡れることはなく簡単に釣り上げることができ、面白みに欠ける。また、紐体４を浮遊体２の高さより長い長さＬｂに設定した場合、掛部５は液面Ｗ下に沈み、釣り上げる際に紙縒２１が濡れることが多く、釣り上げることが困難となり、この場合でも面白みに欠けることとなる。
【００１６】
また、紐体４は縦長の浮遊体２上部の突片１６に取り付けてあるので、浮遊体２上部のより大きな揺動に連動して紐体４も大きく動くこととなる。したがって、紐体４の掛部５はその揺動に連動して液面Ｗ近傍でより大きく変化に富んだ動きをし、ヨーヨー釣りにさらなる興趣を加えることができる。
【００１７】
最後に、本発明のさらに別の実施形態の可能性を列挙する。なお、上記実施形態と同様の部材には同一の符号を付してある。
上記実施形態において、浮遊体の表面に文字、記号、図柄、絵柄等の模様を描いても構わない。例えば、図４（ａ）に示すように、ヨーヨー４０の前面４１表面に模様として例えば人型のキャラクター４７を印刷してもよい。また、このキャラクター４７の形状に沿うように、前面４１に凸部４１ａを設けても構わない。浮遊体２を模様に模して形成することで、浮遊体２の揺動運動によりキャラクターが動いているかのように見せることができ、ヨーヨー釣りにさらなる興趣を加えるができる。
【００１８】
また、図４（ｂ）に示すように、ヨーヨー５０をペットボトルの形状に模して形成することも可能である。このヨーヨー５０の前面５１には、飲料５７ａ、ラベル５７ｂ及びキャップ５７ｃのペットボトルの絵柄５７が印刷されている。また、ヨーヨー５０の上部にはキャップ５７ｃの形状を模した凸部５１ａが設けられている。なお、模様等は図４に例示の模様に限られるものではなく、着色等を施してもよい。また、半透明、透明のシートにより浮遊体を構成しても構わない。
【００１９】
上記実施形態において、錘３に砂鉄を用いた。この場合、ヨーヨーを浮かべる水槽の底面に磁石を取り付けて、その磁力でヨーヨーを底面から移動させるようにしても構わない。遊戯者から磁石の位置が分からず、浮遊体に予測できない動きを与えることができ、ヨーヨー釣りにさらなる興趣を加えるができる。また、磁石を用いて水槽の底面側からヨーヨーを誘導する新たな遊戯も行うことができる。例えば、流れるヨーヨーを磁力により引き止めて流れの外部へ誘導する新たな遊戯を構成することも可能である。
【００２０】
また、錘３は浮遊体２の底面１３の中空部１４側表面に固定したが、中空部１４側に限らず底面１３の外表面に取り付けても構わない。さらに、浮遊体２の内部には錘３に加えて例えば鈴を入れ、浮遊体２の揺動運動に連動して音を出すようにしても構わない。
【００２１】
上記実施形態はシートを３面貼り合わせて略円筒状に形成したが、３面以上の多面体であっても良く、２面より例えば楕円状に形成しても構わない。浮遊体２の形状は、液面Ｗで起立状態で浮遊可能な形状であればよい。
【産業上の利用可能性】
【００２２】
本発明は、特にヨーヨー釣りに適したヨーヨーとして利用することができる。
【図面の簡単な説明】
【００２３】
【図１】本発明に係るヨーヨーの斜視図である。
【図２】ヨーヨーの縦断面図である。
【図３】ヨーヨーの水面上での揺動を説明する図である。
【図４】本発明に係るヨーヨーの他の実施形態を示す正面図である。
【符号の説明】
【００２４】
１：ヨーヨー、２：浮遊体、３：錘、４：紐体、５：掛部、１１：前面（シート）、１２：後面（シート）、１３：底面（シート）、１４：中空部、１５：注入口、１６：突片、１６ａ：孔、２０：釣具、２１：釣糸（紙縒）、２２：釣針、４０：ヨーヨー、４１：前面（シート）、４１ａ：凸部、４３：底面（シート）、４６：突片、４６ａ：孔、４７：キャラクター（模様）、５０：ヨーヨー、５１：前面（シート）、５１ａ：凸部、５３：底面（シート）、５６：突片、５６ａ：孔、５７：ペットボトル（模様）、５７ａ：飲料（模様）、５７ｂ：ラベル（模様）、５７ｃ：キャップ（模様）、ｈ：高さ、ｗ：幅、Ｌ，Ｌａ，Ｌｂ：紐体長さ、Ｗ：液面
【図１】
0004701259.tif 000002
【図２】
0004701259.tif 000003
【図３】
0004701259.tif 000004
【図４】
0004701259.tif 000005